(57)【特許請求の範囲】
【請求項１】
ＡＣ電源を用いるための電源ユニットと、電池との少なくとも一つが装着可能な記録装置であって、
画像データを記憶するメモリと、
前記メモリに記憶された画像データを不揮発性記録媒体に記録する第１の処理を行う記録手段と、
前記第１の処理と異なる第２の処理を停止するか否かを制御するための制御手段とを有し、
前記電源ユニットが前記記録装置に装着されている場合であり、かつ、前記電池が前記記録装置に装着されていない場合に、前記電源ユニットから供給される電圧が第２の電圧よりも低く、第３の電圧以上である場合、前記制御手段は、前記第１の処理を停止しないようにするが、前記第２の処理を停止するようにし、
前記電源ユニットが前記記録装置に装着されていない場合であり、かつ、前記電池が前記記録装置に装着されている場合に、前記電池から供給される電圧が第１の電圧よりも低く、前記第３の電圧以上である場合、前記制御手段は、前記第１の処理を停止しないようにするが、前記第２の処理を停止するようにし、
前記電源ユニット及び前記電池が前記記録装置に装着されている場合に、前記電源ユニットまたは前記電池から供給される電圧が前記第１の電圧よりも低く、前記第３の電圧以上である場合、前記制御手段は、前記第１の処理を停止しないようにするが、前記第２の処理を停止するようにし、
前記第２の電圧は、前記第１の電圧よりも高く、
前記第３の電圧は、前記記録手段が前記第１の処理を行うことが可能な電圧であり、
前記第３の電圧は、前記第１の電圧及び前記第２の電圧よりも低いことを特徴とする記録装置。
【請求項２】
前記第１の電圧は、前記記録装置が前記電池から電力供給される場合に前記記録手段が前記第１の処理を行うための時間に基づいて設定される電圧であり、
前記第２の電圧は、前記記録装置が前記電源ユニットから電力供給される場合に前記記録手段が前記第１の処理を行うための時間に基づいて設定される電圧であることを特徴とする請求項１に記載の記録装置。
【請求項３】
前記第２の処理は、前記記録装置を操作するための操作手段からの入力を受け付けるための処理と、画像データを表示手段に表示するための処理とを含むことを特徴とする請求項１または２に記載の記録装置。
【請求項４】
前記不揮発性記録媒体は、前記記録装置から取り外し可能な記録媒体であることを特徴とする請求項１から３のいずれか１項に記載の記録装置。
【発明の詳細な説明】
【０００１】
【発明の属する技術分野】
本発明は、ＡＣ電源を用いるための電源ユニットと、電池との少なくとも一つが装着可能な記録装置に関する。
【０００２】
【従来の技術】
一般的なデジタルカメラの撮像動作について説明する。レリーズ部材の押圧操作によりレリーズスイッチがＯＮし撮像動作を開始すると、周知の測光動作、焦点調節を経て、被写体からの撮影光束が撮影レンズを通ってシャッタおよび絞りによって適正光量に制御され、撮像素子（センサ）であるＣＣＤに入射する。撮影光束はＣＣＤによって光電変換され、信号処理回路により所定の画像処理が施すことで画像信号を得ることができる。画像信号はＡ／Ｄ変換回路を経由してデジタル信号に変換され、一時的にデジタルカメラ本体に内蔵されている揮発性メモリであるフレームメモリに記憶される。その後、圧縮回路で周知のデータ圧縮処理が施され、カードＩ／Ｆ（インターフェース）を介してメモリカードなどの着脱可能な不揮発性の記録媒体に記録される。
【０００３】
デジタルカメラ等のデジタル機器は銀塩フィルムを用いるカメラとは異なり、上述のようにＣＣＤ等の撮像素子を搭載しており、より多くの電力を消費する。近年では、電池（バッテリ）の性能が向上したため、小型でありながら大きな容量を有する電池がある。しかしながら、性能が向上したとはいえ電池の容量は有限であり、デジタル機器に十分な電力を供給する時間には限度がある。そこで、商用電源から電力を得るＡＣ電源ユニットを使用することを考慮し、電池またはＡＣ電源ユニットの何れかを装着して使用できる構造になっている。
【０００４】
電池ではなく商用電源（ＡＣ電源）を使用する場合、電池とは異なりトラブルがなければ電力は無制限に使用可能である。しかしながら、商用電源装置の接続プラグを不用意にコンセントから抜いた時や、不意の停電時には、突然電源が瞬断してしまう（以降、電源瞬断と称す）ことになる。もし、デジタルカメラがメモリカードなどの記録媒体に画像データ等を記録している最中に電源瞬断が起きてしまうと、書き込み（以降、記録動作と称す）中のデータを残せなくなるばかりでなく、既に記録済みのデータにも影響を及ぼす可能性がある。そのため、バックアップ用のコンデンサを搭載し電圧低下を遅延させることで、記録動作が終わるまではある程度の電圧を確保する対策が考えられる。しかし、容量の大きな画像データ等、保存すべきデータが多量の場合は記録動作に必要な時間も多く、データ量が多ければ記録動作が終了する前に電圧が最低動作電圧以下に低下してしまい、記録媒体中のデータを正常なまま残すことができないことがある。また、記録時間に要する電力をより多く蓄積できるよう、遅延手段の一つとしてのバックアップ用のコンデンサを大型化することが考えられるが、大型化すればそれだけ携帯性を損ね、コストアップにもつながってしまう。
【０００５】
そこで、商用電源使用時に電源瞬断が起きた場合でも、バックアップ用のコンデンサを大型化せずとも記録動作の時間を確保する技術が、特開平１１−４１５３４号公報に記載されている。特開平１１−４１５３４号公報によれば、商用電源使用時は電源電圧を観察し、デジタル機器に電源電圧が供給されていないことを検出すると即座にデータを不揮発性メモリに記憶させるよう制御し、電源瞬断前のデータの保護を図るようにしている。
【０００６】
【発明が解決しようとする課題】
デジタルカメラ等のデジタル機器の電源として電池を使用した場合でも、電池が供給できる電力が少なければ記録動作中のデータを残すことができず、既に記録済みのデータにも影響を及ぼす可能性はある。
【０００７】
しかし、電源として電池を使用した場合には商用電源使用時と異なり、電源瞬断という状況が起きることは考えにくい。したがって特開平１１−４１５３４号公報に記載されているように、デジタル機器に電源電圧が供給されていないことを検出してからデータを不揮発性メモリに記憶させるという方法は、電源として電池を使用した場合には適用できない。また、電池使用時には電池の電圧降下によって電源電圧が低下するものであり、商用電源使用時と比較して記録動作の時間を確保しやすい。
【０００８】
本発明は、ＡＣ電源を用いるための電源ユニットと、電池とのいずれか一つから供給される電圧が低下した場合であっても、メモリに記憶された画像データを不揮発性記録媒体に記録できるようにすることを目的とする。
【０００９】
【課題を解決するための手段】
本発明に係る記録装置は、ＡＣ電源を用いるための電源ユニットと、電池との少なくとも一つが装着可能な記録装置であって、画像データを記憶するメモリと、前記メモリに記憶された画像データを不揮発性記録媒体に記録する第１の処理を行う記録手段と、前記第１の処理と異なる第２の処理を停止するか否かを制御するための制御手段とを有し、前記電源ユニットが前記記録装置に装着されている場合であり、かつ、前記電池が前記記録装置に装着されていない場合に、前記電源ユニットから供給される電圧が第２の電圧よりも低く、第３の電圧以上である場合、前記制御手段は、前記第１の処理を停止しないようにするが、前記第２の処理を停止するようにし、前記電源ユニットが前記記録装置に装着されていない場合であり、かつ、前記電池が前記記録装置に装着されている場合に、前記電池から供給される電圧が第１の電圧よりも低く、前記第３の電圧以上である場合、前記制御手段は、前記第１の処理を停止しないようにするが、前記第２の処理を停止するようにし、前記電源ユニット及び前記電池が前記記録装置に装着されている場合に、前記電源ユニットまたは前記電池から供給される電圧が前記第１の電圧よりも低く、前記第３の電圧以上である場合、前記制御手段は、前記第１の処理を停止しないようにするが、前記第２の処理を停止するようにし、前記第２の電圧は、前記第１の電圧よりも高く、前記第３の電圧は、前記記録手段が前記第１の処理を行うことが可能な電圧であり、前記第３の電圧は、前記第１の電圧及び前記第２の電圧よりも低いことを特徴とする。
【００１２】
【発明の実施の形態】
（第１の実施の形態）
図１乃至図５は、本発明の実施の形態を説明する図である。図１から図３において、同一部材には同一符号が付されている。
【００１３】
先ず、図１を用いてデジタルカメラ本体と電源供給装置との接続について説明する。
【００１４】
１はデジタルカメラ本体であり、デジタルカメラ本体１の下部には電源供給装置の装着部１ａが設けられている。２はデジタルカメラ本体１に装着され、交換可能な撮影レンズである。３はデジタルカメラの撮影動作を開始するためのレリーズ部材であり、レリーズ部材３が押されることにより公知の測光、焦点検出動作、及び撮像動作等を行う。４，５，６はデジタルカメラ本体に電源を供給する電源供給装置であり、４は電池である。４ａは電池カプラ部であり、ニッケル水素電池等の繰り返し充電可能な二次電池が内蔵されている。４ｂはデジタルカメラ本体に電源を供給する出力端子である。５は商用電源を使用するためのＡＣ電源ユニットであり、５ａはＡＣ電源カプラ部、５ｂは出力端子である。５ｃ、５ｄはカプラ部５ａに収納され、商用電源によって電荷が蓄積されるバックアップコンデンサであり、出力端子５ｂに接続されている。５ｅはＡＣ／ＤＣコンバータ部であり、交流電源を直流定電圧に降圧する役割を果たしている。５ｆはＡＣケーブルであり、商用電源コンセントに接続され、ＡＣ／ＤＣコンバータ部に交流電源を供給する。５ｇはＡＣ／ＤＣコンバータ部５ｅとカプラ部５ａと繋ぐケーブルである。ここで、本実施形態では電池４とＡＣ電源ユニット５とはデジタルカメラ本体の同一端子に取り付けられるため、バックアップコンデンサ５ｃ，５ｄはＡＣ電源ユニット５の内部に設けられているが、電池４とＡＣ電源ユニット５とがデジタルカメラ本体の異なる端子に取り付けられる構成であれば、バックアップコンデンサはデジタルカメラ本体に設ける構成としても構わない。６は大容量電池ユニットであり、６ａはカプラ部、６ｂは出力端子である、６ｃは大容量電池収納部であり、電池４と比較して大容量の電力を蓄積可能である。６ｄはカプラ部６ａと大容量電池収納部６ｃとを繋ぐケーブルである。電源装着部１ａには、電源供給装置４、５、６のうち任意の何れか一つが装着可能であり、それぞれの電源の出力端子４ｂ、５ｂ、６ｂを介してデジタルカメラ本体への給電が行われる。
【００１５】
図２は、電源ユニットの一つであるＡＣ電源ユニット５がデジタルカメラ本体１の装着部１ａに装着された状態を示す図である。
【００１６】
図３は、本発明におけるデジタルカメラの回路構成を示すブロック図を示す。
【００１７】
同図において、３は図１にも示したレリーズ部材であり、押し込まれると第１ストロークでＳＷ１、第２ストロークでＳＷ２のスイッチがＯＮされる。図中では、説明のために電源供給装置であるところの電池４または６、及びＡＣ電源ユニット５が記載されているが、実際には４，５，６の何れか任意の一つの電源供給装置を装着して使用する。また、ここでいう電池とは、電池４と大容量電池ユニット６との両者を含むものであり、以降、電池といえば電池４あるいは大容量電池ユニット６のいずれかを含むものとして扱う。１１はデジタルカメラ全体の回路を制御するための制御回路であり、デジタルカメラ全体を管理するＣＰＵや、ＣＰＵのインターフェース回路、及び各回路にクロック信号を供給するタイミング回路等を含んでいる。１２は液晶モニターからなる表示装置であり、後述の信号処理回路２１により処理された画像信号をもとに撮像した画像を表示する。１３は入力操作部材である各種操作ボタンを示しており、連動したスイッチが操作されることにより、制御回路１１がそのスイッチの操作に対応した処理を実行する。また、シャッタスピード、絞り値、撮影済み駒数、残り駒数などの撮影情報も必要に応じて表示される。１４はＬＥＤインジケータであり、後述の電圧比較回路１７の判定結果に応じて、電源電圧の不足を示すマークを点灯または点滅によって表示する。１５は電源判別回路であり、デジタルカメラ本体１に装着された電源供給装置がＡＣ電源ユニット５であるか、電池４または６であるかの判別を行う。１６は電源制御回路であり、入力電圧の安定化や、デジタルカメラ内負荷である表示装置１２やその他の諸回路への電源の供給の制御を行う。１７は電圧比較回路であり、各種の電源装置からの供給される電圧をモニター（検出）し、電源装置の種別ごとに予め設定された所定値である基準電圧と比較し、その結果を制御回路１１に出力する。
【００１８】
次に本ブロック図における画像記録について説明する。レリーズ部材３が操作され、ＳＷ１、ＳＷ２がＯＮし撮像動作を開始すると、被写体からの撮影光束は撮影レンズ１８を通りシャッタおよび絞り１９によって適正光量に調整される。適正光量に調整された撮影光束は撮像素子であるＣＣＤ（センサ）２０に入射して光電変換され、信号処理回路２１によりγ補正などの処理が施されて画像信号が形成される。画像信号はＡ／Ｄ変換回路２２でデジタル信号に変換され、一時的にフレームメモリ２３に記憶される。その後、圧縮回路２４で周知のデータ圧縮処理が施された後、カードＩ／Ｆ（インターフェース）２５を介してメモリカード２６に記録される。
【００１９】
図４は電源電圧と記録動作時間の関係を示す図である。
【００２０】
同図において、縦軸は各種電源供給装置の電源電圧、横軸は時間である。図中、Ｖｂａｔは電池の電源電圧を示し、Ｖａｃは、ＡＣ電源ユニットの電源電圧を示している。電池の電源電圧Ｖｂａｔは、時間とともに徐々に電池容量が減少し、それに伴い電池電圧も徐々に低下する。一方ＡＣ電源ユニットの電源電圧Ｖａｃは、商用電源を用いているので、正常な電力供給が行われていれば電圧の波形は常時同一パターンを繰りかえすため、ＡＣ／ＤＣコンバータからの出力電圧は略一定値になる。
【００２１】
Ｖｔｈ１は第一の基準電圧であり、デジタルカメラの電源として電池が用いられている場合に設定される基準電圧である。Ｖｔｈ２は第二の基準電圧であり、デジタルカメラの電源として商用電源が用いられている場合に設定される基準電圧である。第二の基準電圧Ｖｔｈ２は、は第一の基準電圧Ｖｔｈ１より高く設定されている。Ｖｍｉｎは最低動作保証電圧であり、緊急を要する所定の動作を最低限保証することが可能な電圧である。
【００２２】
ｔ１は電池使用時の記録動作所要時間であり、外部メモリにデータを記録するために要する時間である。ｔ２は商用電源使用時の記録動作所要時間であり、外部メモリにデータを記録するために要する時間である。
【００２３】
先ず、電源として商用電源を使用する場合について説明する。
【００２４】
Ｔｓは電源瞬断のタイミングである。電源瞬断は、商用電源コンセントからＡＣ電源ユニットのケーブル５ｆが急に抜かれるか、急な停電が生じた場合などに起こる。電源瞬断時点Ｔｓから電源電圧は一気に降下し始める。電源電圧が第二の基準電圧Ｖｔｈ２まで降下した時点Ｔｃで瞬断が検出され、デジタルカメラは緊急動作モードになり、記録動作以外の全ての動作が禁止される。ＡＣ電源ユニット５のカプラ部５ａにはバックアップ用のコンデンサ５ａ、５ｂが搭載されており、コンデンサに蓄積された電荷が電力として使用可能なため、瞬断を検知してから最低動作保証電圧Ｖｍｉｎに達するまでは電圧降下時間ｔ３を要す。
【００２５】
このｔ３が記録動作所要時間ｔ２よりも長くなるように第二の基準電圧Ｖｔｈ２を設定しておけば、データの記録動作途中あるいは記録動作開始と同時に瞬断が発生しても、このときの記録動作所要時間ｔ２経過時に電源電圧はデジタルカメラの最低動作保証電圧Ｖｍｉｎまで降下することはない。従って、記録動作を保証することができるのである。
【００２６】
一方、電源として電池を使用する場合について説明する。電池使用時には商用電源使用時のような瞬断は生じない。しかし、電池の電源電圧は、極めて緩やかに電圧が降下していく。電圧が降下し、第一の基準電圧Ｖｔｈ１になると、制御回路１１によってデジタルカメラは緊急動作モードに設定され、記録動作以外の全ての動作が禁止される。電池の電圧が第一の基準電圧Ｖｔｈ１を下回っても、記録動作を行うのに必要な電圧は確保されており、記録動作所要時間ｔ１経過前に、電圧がデジタルカメラの最低動作保証電圧Ｖｍｉｎまで降下することはない。従って、記録動作を保証することができるのである。
【００２７】
本実施の形態では、第一の基準電圧Ｖｔｈ１と第二の基準電圧Ｖｔｈ２との関係を下記のようにしている。
【００２８】
Ｖｔｈ１  ＜  Ｖｔｈ２  ・・・・・・（１）
その理由を以下に述べる。
【００２９】
電源電圧が極端に低下し、最低動作保証電圧Ｖminより小さくなると動作に不具合を生ずる。動作が不安定になるだけでなく、制御不能に陥る恐れもある。従って、電源電圧が最低動作保証電圧Ｖｍｉｎまで低下する前に、禁止電圧レベルを設定し、動作を禁止または制限しなければならない。
【００３０】
ところで、電源として電池を使用する場合は、同じ電池をなるべく長く、容量を残さず使いたい。従って、最低動作保証電圧Ｖｍｉｎ以上の範囲で、記録動作所要時間ｔ１を確保できる範囲で禁止電圧レベルをなるべく低く設定すればよい。このときの禁止電圧レベルが基準電圧Ｖｔｈ１である。
【００３１】
一方、電源として商用電源を使用する場合、瞬断を考慮して電源の出力端子側にバックアップ用のコンデンサを接続する。コンデンサに蓄積される電荷Ｑは、一般的に下記の式で示される。
【００３２】
Ｑ  ＝  Ｃ・Ｖ  ・・・・・・（２）
（  Ｑ：電荷、Ｃ：静電容量、Ｖ：電圧  ）
瞬断時の動作を保証するためには、バックアップ用のコンデンサに蓄えられている電荷は多いほど安全である。従って、（２）式のＱの値は大きい方が好ましい。即ち静電容量Ｃを大きくするか、または電圧Ｖを高く設定することになるのだが、静電容量Ｃを大きくすると、コンデンサ自体が大型化するため電源供給装置も大きくなってしまう。電源供給装置の大型化を防ぐには、静電容量Ｃは大きくせずに電圧Ｖを高く設定すればよい。商用電源使用時は電池使用時と異なり電圧降下がないため、禁止電圧レベルすなわち第二の基準電圧Ｖｔｈ２を高く設定することが可能である。第二の基準電圧Ｖｔｈ２時にバックアップ用コンデンサに蓄積されている電荷をＱｔｈ２は、
Ｑｔｈ２  ＝  Ｃ・Ｖｔｈ２  ・・・・・・（３）
で表せる。
【００３３】
従って、記録動作所要時間ｔ２が経過しても最低動作保証電圧Ｖｍｉｎより高い電圧を維持できるような電荷Ｑｔｈ２を予め求めておき、求められたＱｔｈ２の値をもとに第二の基準電圧Ｖｔｈ２を設定すればよい。
【００３４】
即ち、瞬断検出時Ｔｃと同時に記録動作が開始されても、最低動作保証電圧Ｖｍｉｎまで電圧降下に要する時間ｔ３に対して、記録動作所要時間ｔ２が短くなるように、Ｖｔｈ２を設定すればよい。
【００３５】
次に図５を用いて、図１〜図３に示したデジタルカメラの制御フローについて説明する。
【００３６】
ステップ＃１において、メイン電源がＯＮされると、デジタルカメラは動作状態になる。
【００３７】
ステップ＃２において、制御回路１１はフラグや制御変数等を初期化する。
【００３８】
ステップ＃３において、電源判別回路１５によりデジタルカメラ本体１に装着された電源供給装置が、ＡＣ電源ユニットであるか、電池であるかの判別（すなわち電池を電源とするか、商用電源を電源とするかの判別）を行う。装着された電源供給装置が電池である場合にはステップ＃４へ進み、逆にＡＣ電源ユニットである場合にはステップ＃５へ進む。
【００３９】
ステップ＃４においては、装着された電源供給装置が電池であるので、ＣＰＵは電圧比較回路に第一の基準電圧の設定を行い、ステップ＃６へ進む。
【００４０】
ステップ＃５においては、装着された電源供給装置がＡＣ電源ユニットであるので、ＣＰＵは電圧比較回路に第二の基準電圧の設定を行い、ステップ＃６へ進む。
【００４１】
ステップ＃６において、電圧比較回路１７により電源電圧の判定がなされる。電源電圧の判定は、前ステップで既に設定されている基準電圧（第一または第二）と比較される。電源電圧が基準電圧よりも低ければ、ＮＧと判断してステップ＃７へ進み、電源電圧が基準電圧よりも高ければ、ＯＫと判断してステップ＃８へ進む。
【００４２】
ステップ＃７において、インジケータ１４によって電源電圧の不足を示すマークを点滅（あるいは点灯）表示するか、あるいは表示装置１２によって電源電圧の不足を示す警告がなされた後、電源をＯＦＦしてステップ＃１に戻る。
【００４３】
ステップ＃８において、表示装置１２が現在捕らえている被写体像や、あるいは撮影情報の表示を行う。
【００４４】
ステップ＃９において、レリーズ部材３の半押し（第１ストローク）でＳＷ１がＯＮしたことを検出すればステップ＃１０へ進み、ＳＷ１がＯＮしたことを検出できなければステップ＃１に戻る。
【００４５】
ステップ＃１０において、公知の測光動作と焦点検出動作とを行い、撮影レンズ１８を駆動して焦点を調節する。
【００４６】
ステップ＃１１において、レリーズ部材３が全押し（第２ストローク）されＳＷ２がＯＮしたことを検出するとステップ＃１２へ進み、ＳＷ２がＯＮしなければ、ステップ＃１０へ戻り再度測光動作と焦点検出動作を行う。
【００４７】
ステップ＃１２において、ＣＣＤでの信号蓄積、ＣＣＤの出力信号処理、Ａ／Ｄ変換等が一連の撮像動作として行われる。
【００４８】
ステップ＃１３において、ステップ＃１２の撮像動作により得られた画像データを一時的にフレームメモリ２３に記憶させる。
【００４９】
ステップ＃１４において、フレームメモリ２３に一時的に記憶された画像データの圧縮処理、及びメモリカード２６へのデータの書き込み（記録動作）が開始される。
【００５０】
ステップ＃１５において、電圧比較回路１７によって電源電圧のチェックが行われる。電源供給装置が電池の場合は、電圧比較回路１７の検出結果により電源電圧が第一の基準電圧よりも高ければＯＫと判断しステップ＃１６へ進み、第一の基準電圧よりも低ければＮＧと判断しステップ＃１７に進む。電源供給装置がＡＣ電源ユニット（商用電源使用時）の場合は、検出結果により電源電圧が高い第二の基準電圧よりも高ければ、ＯＫと判断しステップ＃１６へ進み、第二の基準電圧よりも低ければＮＧと判断しステップ＃１７に進む。ここで、第二の基準電圧は上述したように第一の基準電圧よりも高い値に設定されている。
【００５１】
ステップ＃１６において、表示装置１２に撮像により得られた画像と撮像データの表示、及び入力操作部材１３の受け付けを継続して行い、ステップ＃１８に進む。
【００５２】
ステップ＃１７において、電源制御回路１６が表示装置１２への給電を停止し、直ちに表示装置１２の表示を中止させ、入力操作部材１３の受け付けも禁止し、ステップ＃１８に進む。ただし、このとき、記録動作のみは継続されている。
【００５３】
ステップ＃１８において、記録動作が完了したか否かの判断を行う。記録動作継続中であれば、未完と判断しステップ＃１５へ戻るが、記録動作終了であれば完了と判断しステップ＃１９へと進み、一連の処理が終了する。
【００５４】
このように電池使用時の禁止電圧レベルを商用電源使用時の禁止電圧レベルよりも低く設定することで、電池使用時および商用電源使用時のいずれにおいても記録動作中の電源電圧を確保でき、かつ、電池に蓄積された電荷を無駄にすることなく使用することができる。
【００５５】
なお、上記の実施の形態では、フレームメモリからメモリカードなどの記録媒体に画像データ等の記録動作を行う最中に電源瞬断や電圧低下が生じた場合について説明したが、本発明はこれに限定されるものではない。デジタルカメラが外部記録媒体への記録動作を行っていない場合でも、電源電圧が降下して禁止電圧レベルに達したならば外部記録媒体への記録動作を開始する構成にしてもよい。これならば撮影者が記録動作のための操作を行わずとも、それまで撮影した画像データだけでも外部記録媒体へ確実に記録することができ、撮影した画像データが無駄になってしまうことはない。ただしこの場合は、上記実施の形態では記録動作開始後に電源電圧と第一あるいは第二の基準電圧とを比較するのに対し、撮影制御フローとは別に周期的に電源電圧と基準電圧とを比較する制御を行う。
【００５６】
また、上記の実施の形態では、ＡＣ電源ユニットと電池のいずれか一方を装着可能なデジタルカメラについて説明したが、両方の電源を一度に装着可能なものであっても構わない。両方の電源を装着した場合はＡＣ電源の瞬断が生じても電池による電源供給が可能であるので、上記実施の形態における第一の基準電圧と電源電圧とを比較さえすればよい。この場合は、電源判別回路はＡＣ電源ユニットだけが装着されているか電池が装着されているかを判別し、電圧比較回路は、ＡＣ電源ユニットのみ装着されている場合は第二の基準電圧を設定し、電池が装着されている場合はＡＣ電源ユニットの装着に関係なく第一の基準電圧を設定する。
【００５７】
また、上記実施の形態ではデジタル機器としてのデジタルカメラに適用した形態について説明を行ったが、無論、データをフレームメモリ等の揮発性記憶媒体に一時的に保存し、その後に不揮発性記憶媒体に該データを記録させる機能を有する装置であれば、本発明は適用可能であることは言うまでもないであろう。
【００５８】
【発明の効果】
本発明によれば、ＡＣ電源を用いるための電源ユニットと、電池とのいずれか一つから供給される電圧が低下した場合であっても、メモリに記憶された画像データを不揮発性記録媒体に記録することができる。
【図面の簡単な説明】
【図１】本実施の形態におけるデジタルカメラ本体と複数の電源供給装置を示す図。
【図２】本実施の形態におけるデジタルカメラ本体と商用電源供給装置が接続された状態を示す図。
【図３】本実施の形態におけるデジタルカメラの回路構成を示すブロック図。
【図４】本実施の形態におけるデジタルカメラの電源電圧と記録動作時間の関係を示す図。
【図５】本実施の形態におけるデジタルカメラの制御回路の処理フローを示す図。
【符号の説明】
１  デジタルカメラ本体
１ａ  装着部
２  撮影レンズ
３  レリーズ部材
４  電池
５  ＡＣ電源ユニット
５ａ  ＡＣ電源カプラ部
５ｂ  出力端子
５ｃ，５ｄ  バックアップコンデンサ
５ｅ  ＡＣ／ＤＣコンバータ
５ｆ  ＡＣケーブル
５ｇ  ケーブル
６  大容量電池ユニット
６ａ  カプラ部
６ｂ  出力端子
６ｃ  大容量電池収納部
６ｄ  ケーブル
【図１】
0004700865.tif 000002
【図２】
0004700865.tif 000003
【図３】
0004700865.tif 000004
【図４】
0004700865.tif 000005
【図５】
0004700865.tif 000006